(57)【要約】  本発明は、液体用容器、当該容器の充填方法、および放射性物質の保持および貯蔵のための本発明による容器の使用に関する。液体用の本容器は、液体を保持するための空洞であって、その複数の側面と底部とに複数の壁１が接する空洞と、この空洞に液体を充填するための開口部と、この空洞を閉鎖するための閉鎖体であって、カニューレを当該空洞に挿入するための穿刺領域を有する閉鎖体と、この空洞の複数の壁を立ち上がり部において取り囲む底部ケーシング２０と、穿刺可能な閉鎖体の穿刺領域以外を取り囲む上部ケーシング１０と、上部ケーシングから底部ケーシングまで延在して上部ケーシングまたは底部ケーシングによって未だ取り囲まれていない空洞の複数の壁の領域を取り囲むフィルム３０と、を備える。【選択図】図４
2014527423.tif 000002
【特許請求の範囲】
【請求項１】
液体用の容器であって、
液体を保持するための空洞であって、その複数の側面と底部とに複数の壁が接する空洞と、
前記空洞に前記液体を充填するための開口部と、
前記空洞を閉鎖するための閉鎖体であって、カニューレを前記空洞に挿入するための穿刺領域を有する閉鎖体と、
前記空洞の前記複数の壁を立ち上がり部において取り囲む底部ケーシングと、
穿刺可能な前記閉鎖体の前記穿刺領域以外を取り囲む上部ケーシングと、
前記上部ケーシングから前記底部ケーシングまで延在して前記上部ケーシングまたは前記底部ケーシングによって未だ取り囲まれていない前記空洞の前記複数の壁の領域を取り囲むフィルムと、
を備えた液体用の容器。
【請求項２】
前記空洞に接する前記複数の壁はガラス製であることを特徴とする、請求項１に記載の液体用の容器。
【請求項３】
前記上部ケーシングは前記閉鎖体に摩擦によって連結されることを特徴とする、請求項１または２に記載の液体用の容器。
【請求項４】
前記底部ケーシングは前記複数の壁の基部に摩擦によって連結されることを特徴とする、請求項１乃至３の何れかに記載の液体用の容器。
【請求項５】
前記上部および／または底部ケーシングは弾性ポリマーから成ることを特徴とする、請求項１乃至４の何れかに記載の液体用の容器。
【請求項６】
前記フィルムは前記上部ケーシングと、前記底部ケーシングと、前記複数の壁とに接着によって接合されることを特徴とする、請求項１乃至５の何れかに記載の液体用の容器。
【請求項７】
前記フィルムはそれ自体に部分的に接着によって接合されることを特徴とする、請求項１乃至６の何れか１項に記載の液体用の容器。
【請求項８】
前記空洞を包囲する前記複数の壁は一次ボトルを形成し、前記一次ボトルは、その基部および胴部領域が中空円筒体の形状であり、かつ肩部と首部とを形成するように前記開口部に向かって上方に先細になり、さらにフランジが前記開口部の周囲に設けられることを特徴とする、請求項１乃至７の何れかに記載の液体用の容器。
【請求項９】
前記閉鎖体は、前記一次ボトルの前記フランジに固定されるエプロンを有することを特徴とする、請求項８に記載の液体用の容器。
【請求項１０】
前記上部ケーシングは、鏡筒状円筒体のように、先細断面を有する上側領域と幅広断面を有する下側領域とを有し、前記上側領域は前記閉鎖体への連結用に設けられ、前記下側領域は前記空洞を包囲する前記複数の壁に面一で接触することを特徴とする、請求項１乃至９の何れかに記載の液体用の容器。
【請求項１１】
少なくとも１種類の放射性核種を収容する、請求項１乃至１０の何れかに記載の液体用の容器。
【請求項１２】
放射性物質、特に治療および／または診断目的で用いられる放射性物質、を保持および貯蔵するための、請求項１乃至１１の何れかに記載の容器の使用。
【請求項１３】
前記放射性物質は少なくとも１種類のアルファ線放出放射性核種を含む、請求項１２に記載の容器の使用。
【請求項１４】
前記容器は前記薬剤の１回分用量を収容することを特徴とする、請求項１２または１３に記載の容器の使用。
【請求項１５】
容器に液体を充填する方法であって、少なくとも以下のステップ：
一次ボトルに液体を充填するステップと、
充填後の前記一次ボトルを閉鎖するステップと、
前記一次ボトルの立ち上がり部に底部ケーシングを設けるステップと、
閉鎖体に上部ケーシングを設けるステップと、
前記底部ケーシングまたは前記上部ケーシングによって未だ取り囲まれていない前記一次ボトルの部分をフィルムで覆うステップであって、前記フィルムは前記底部ケーシングから前記上部ケーシングまで延在して前記上部ケーシングおよび前記底部ケーシングを互いに連結するステップと、
を含む容器に液体を充填する方法。
【請求項１６】
前記液体は薬剤、特に放射線治療剤、の１回分用量であることを特徴とする、請求項１５に記載の容器に液体を充填する方法。
【請求項１７】
前記フィルムは接着剤層を一方の面に有し、前記フィルムは、前記底部ケーシング、前記上部ケーシング、および前記一次ボトルへの取り付けのために、前記複数の構成要素に巻き付けられることを特徴とする、請求項１５または１６に記載の容器に液体を充填する方法。
【請求項１８】
少なくとも１種類の放射性同位体を収容している一次ボトルの表面汚染から発する放射線による危険を減らす方法であって、
充填後の前記一次ボトルを閉鎖するステップと、
前記一次ボトルの立ち上がり部に底部ケーシングを設けるステップと、
閉鎖体に上部ケーシングを設けるステップと、
前記底部ケーシングまたは前記上部ケーシングによって未だ取り囲まれていない前記一次ボトルの部分をフィルムで覆うステップであって、前記フィルムは前記底部ケーシングから前記上部ケーシングまで延在して前記上部ケーシングおよび前記底部ケーシングを互いに連結する、ステップと、
を含む危険を減らす方法。
【請求項１９】
前記危険は、取り扱い上の危険、汚染の危険、および／または環境上の危険である、請求項１８に記載の危険を減らす方法。
【請求項２０】
少なくとも１種類の放射性同位体を収容している充填後の一次ボトルの表面汚染から発する放射線による危険を減らすために、上部ケーシングと、底部ケーシングと、底部ケーシングから上部ケーシングまで延在するフィルムとの使用。
【発明の詳細な説明】
【技術分野】
【０００１】
本発明は、液体用の容器、当該容器への充填方法、および放射性物質、特に治療および／または診断用の放射性物質、などの物質の保持および貯蔵のための本発明による容器の使用に関する。
【背景技術】
【０００２】
液体の保持および貯蔵用の容器は、ありふれた物である。化学または医学分野においては、ねじ蓋、圧着式閉鎖体、ストッパ、またはフランジ付きキャップによって閉鎖されるガラス瓶が液体用の貯蔵手段として成功している。
【０００３】
ガラス瓶は、安価であり、滅菌し易く、かつ多種類の液体の存在下で不活性であるという利点がある。
【０００４】
特許文献１には、小容積の医学用ガラス製容器が例として記載されている。
【０００５】
特許文献２、特許文献３、および特許文献４は、フランジ付き兼スナップ留め式の蓋閉鎖体を有する容器を開示している。
【先行技術文献】
【特許文献】
【０００６】
【特許文献１】独国特許出願公開第１９７３９１３９Ａ１号
【特許文献２】国際公開第１９９２／００８８９Ａ１号
【特許文献３】国際公開第１９９３／１１０５３Ａ１号
【特許文献４】国際公開第１９９５／０４６８５Ａ１号
【発明の概要】
【発明が解決しようとする課題】
【０００７】
ガラス瓶への液体の充填時に、液体の滴が誤って瓶の縁部または瓶の外壁に付着することがありうる。人々および／または環境にとって危険な液体の場合、これは問題である。危険な物質が誤って環境に侵入しないことを保証することは極めて重要である。これは、特に放射性物質に当てはまる。
【０００８】
放射性物質は、医学において診断および治療目的で使用される。例えば生体の断面画像を作成するために、放射性化合物が用いられる診断プロセスとして単光子放射型コンピュータ断層撮影法（ＳＰＥＣＴ：Ｓｉｎｇｌｅ  Ｐｈｏｔｏｎ  Ｅｍｉｓｓｉｏｎ  Ｃｏｍｐｕｔｅｄ  Ｔｏｍｏｇｒａｐｈｙ）および陽電子放射型コンピュータ断層撮影法（ＰＥＴ：Ｐｏｓｉｔｒｏｎ  Ｅｍｉｓｓｉｏｎ  Ｔｏｍｏｇｒａｐｈｙ）が挙げられる。アルファ粒子を放出する物質は、例えば腫瘍の治療に用いられる（放射線療法）。
【０００９】
医学分野においては、ガラス瓶が病院職員によって取り扱われるので、特に、ガラス瓶への放射性物質の充填時におけるガラス外壁の汚染を防止しなければならない。
【課題を解決するための手段】
【００１０】
本発明は、独立請求項１に記載の新しい容器と、本発明による新しい容器への独立請求項１２に記載の充填方法とを提供することによって、この汚染の問題を解決する。本発明は、独立請求項１０に記載の、放射性化合物、特に治療および／または診断用の放射性物質、の保持および貯蔵のための本発明による容器の使用にさらに関する。
【図面の簡単な説明】
【００１１】
【図１】一次ボトルを示す側断面図である。
【図２】本発明による容器の斜視図である。
【図３】本発明による容器の側面図である。
【図４】本発明による容器の側断面図である。
【図５】本発明による容器の上部ケーシングである。
【図６】本発明による容器の底部ケーシングである。
【発明を実施するための形態】
【００１２】
本発明の複数の好適な実施形態は、従属請求項に見出される。
【００１３】
したがって、第１の態様において、本発明は液体用の容器に関する。本容器は、
液体を保持するための空洞であって、その複数の側面と底部とに複数の壁が接する空洞と、
前記空洞に前記液体を充填するための開口部と、
前記空洞を閉鎖するための閉鎖体であって、カニューレを前記空洞に挿入するための穿刺領域を有する閉鎖体と、
前記空洞の前記複数の壁を立ち上がり部において取り囲む底部ケーシングと、
穿刺可能な前記閉鎖体の前記穿刺領域以外を取り囲む上部ケーシングと、
前記上部ケーシングから前記底部ケーシングまで延在して前記上部ケーシングまたは前記底部ケーシングによって未だ取り囲まれていない前記空洞の前記複数の壁の領域を取り囲むフィルムと、
を少なくとも備える。
【００１４】
本発明による容器は、内側シェルおよび外側シェルを有する。内側シェルは、空洞を取り囲んで液体を保持する役割を果たす。したがって、内側シェルは、液体を充填可能であり、かつその液体が貯蔵される一次ボトルを構成する。
【００１５】
外側シェルは、内側シェルを取り囲む。外側シェルの設置は、必ず空洞の充填後に行われる。外側シェルは、充填時に誤って内側シェルの外側に達した液体残渣を包囲するようになっているので、これら残渣は取り扱い上または健康上の危険を及ぼすことも、環境に侵入することもない。
【００１６】
本発明によると、内側シェルは複数の壁と１つの閉鎖体とで形成される。これらの壁は、液体を保持するための空洞を複数の側面と底部とにおいて形成する。この空洞は最上部において形成されない。すなわち、最上部には液体をこの空洞に充填するための開口部が設けられる。
【００１７】
本説明において方向の情報は何れも重力の方向を基準とする。用語「下方」は、重力の方向を意味する。用語「上方」は、重力とは反対の方向を意味する。「横方向」または「側方に」などの用語は、重力の方向に対して垂直な方向を示す。
【００１８】
これらの壁は、使用される液体を通さず、かつ使用される液体によって冒されない材料から成る。材料科学の当業者であれば、個々の液体に適した材料を認識するであろう。
【００１９】
好適な材料は、多種類の異なる液体に対して不活性の、すなわち冒されない、ガラス類またはプラスチック類である。ただし、これらの壁を、例えば、金属製とすることも可能である。水溶液の場合、ガラス類とプラスチック類、例えばポリオレフィン類（例えばポリエチレン、ポリプロピレン）またはポリエステル類（例えばポリエチレンテレフタレート、ポリカーボネート）などのポリマー類、とかが特に適している。複合材料も可能である。
【００２０】
好適な一実施形態においては、水溶性化学物質の貯蔵に従来用いられている種類の珪酸塩ガラスが用いられる。このようなガラス類は、例えばショット社（Ｓｃｈｏｔｔ  ＡＧ）などの会社が販売している。
【００２１】
本発明による容器は薬品または診断剤の１回分用量を保持するようになっていることが好ましいので、空洞の容積は１ｍｌ乃至２００ｍｌであることが好ましい。空洞の容積は２ｍｌ乃至１００ｍｌであることが特に好ましく、５ｍｌ乃至３０ｍｌであることが最も好ましい。
【００２２】
液体を保持するための空洞に接する壁は、一次ボトルを形成する。一次ボトルは、好適な一実施形態によると、下側領域（特に外側）が中空円筒体の形状でもよい。この中空円筒体は、一般に開口部に向かって上方に先細になるので、一次ボトルは、多くの液体容器に一般的な肩部および／または首部の形状を有しうる。首部の端部には、一次ボトルの開口部の周囲に延在して閉鎖体の取り付けに用いられるフランジが存在することが好ましい。閉鎖体を取り付けるための他の方法（例えば接着による方法）も同等に用いられることは当該分野の当業者には明らかであろう。この種の好適な一次ボトルが例として図１に示されている。
【００２３】
充填後、空洞は閉鎖される。したがって、本発明による容器は、空洞の閉鎖時に充填用開口部（例えば図１の５）に被せられる閉鎖体（例えば図４に４０および４３として図示）を有する。
【００２４】
閉鎖体と一次ボトルとは、密封後の一次ボトルから液体が誤って漏出しないように、具現化される。通常、例えば合成ゴム製の、密封リング（Ｏリング）などのシールが用いられる。シール用材料の選択は、とりわけ、使用される液体と一次ボトルおよび閉鎖体に用いられる材料とに左右されるであろう。材料科学の当業者であれば、どの材料が適しているかを知っているであろうし、当業者は多くの選択肢を容易に入手可能である。
【００２５】
好適な一実施形態において、閉鎖体はエプロンを有し、これにより、スナップ留め式蓋閉鎖体またはフランジ付き閉鎖体のように、閉鎖体を一次ボトルのフランジに固定することができる。
【００２６】
閉鎖体は、穿刺可能に構成されることが好ましい。これは、カニューレを空洞に挿入して液体を抜き取るために、カニューレを閉鎖体に押し込んで貫通させることができることを意味する。この目的のために、閉鎖体は、カニューレを押し込んで貫通させることができる領域を少なくとも１つ有する。ここで、この領域を穿刺領域と称する。本願明細書において、用語「カニューレ」は、液体の抜き取りまたは移送に適した何れかの中空穿刺要素を指すために用いられる。これは、金属、プラスチック、または何れか適した剛性材料で形成された中空の針、カニューレ、管、または同様の装置であれば如何なるものも含まれる。
【００２７】
例えば、使用される閉鎖体は、医学分野における注射用アンプルにおいて一般に常法であるように、シリコン／ポリテトラフルオロエチレン（ＰＴＦＥ：ｐｏｌｙｔｅｔｒａｆｌｕｏｒｅｔｈｙｌｅｎｅ）製隔壁または合成ゴム製隔壁を有するフランジ付きアルミニウムキャップでもよい（ＰＴＦＥ層が液体に面する側になる）。
【００２８】
本発明による容器は、底部ケーシングをさらに備える。底部ケーシングは、空洞の基部において空洞の壁を取り囲む。換言すると、一次ボトルは底部ケーシングの内部に着座する。底部ケーシングは、一次ボトルのための一種の脚部（shoe）を形成する。底部ケーシングは、一次ボトルをその基部において保護するばかりでなく、その安定性を保証する。
【００２９】
一次ボトルと底部ケーシングとの間の接合は、さまざまな方法で形成できる。例えば、底部ケーシングを一次ボトルに摩擦または噛み合いによって連結することも可能であり、および／または適した接着剤によって接合することも可能である。一次ボトルと底部ケーシングとの螺合を可能にするねじ山を底部ケーシングおよび一次ボトルの各々に設けることも可能である。底部ケーシングは摩擦によって一次ボトルに連結されることが好ましい。
【００３０】
本発明による容器は、底部ケーシングに加え、上部ケーシングを有する。上部ケーシングは穿刺可能な閉鎖体を取り囲むが、上部ケーシングに開口部などが設けられるため、穿刺領域は覆われない。好適な一実施形態において、上部ケーシングは、穿刺領域と同じ（またはほぼ同じ）大きさの、上部ケーシングと閉鎖体とが互いに接合された後に穿刺領域に位置合わせされるように位置決めされた、開口部を有する。上部ケーシングは、一次ボトルの上側部分も取り囲みうる。
【００３１】
閉鎖体と上部ケーシングとの間の連結は、さまざまな形態を取りうる。例えば、上部ケーシングを閉鎖体に（場合によってはさらに一次ボトルに）摩擦または噛み合いによって連結、さらに／または接着剤によって連結、可能である。上部ケーシングと閉鎖体とにねじ山を設けて、これら構成要素同士の螺合を可能にすることも可能である。上部ケーシングは閉鎖体に摩擦によって連結されることが好ましい。
【００３２】
底部および上部ケーシングは、衝撃を緩和できる弾性材料から成ることが好ましい。一次ボトルが、例えば、砕け易くて比較的壊れ易いことが公知のガラス製の場合、底部および上部ケーシングは、一次ボトルの底部および上部領域に衝撃保護をもたらすことが好ましい。
【００３３】
底部および上部ケーシングは、プラスチック、例えば合成ゴムまたは熱可塑性プラスチックなど、から成ることが好ましい。複合材料も使用されうる。底部および上部ケーシングは同じ材料または互いに異なる材料で製造されうる。底部および上部ケーシングは同じ材料から成ることが好ましい。好適な材料の例として、ポリオレフィン類（例えば、ポリエチレン類、ポリプロピレン類）またはポリカーボネートなどのポリマー類が挙げられる。
【００３４】
特に好適な一実施形態において、一次ボトルはその下側領域に中空円筒体の外部形状を有する。底部ケーシングは、弾性材料から成り、一次ボトルの形状に合わせられる。好適な一実施形態において、底部ケーシングの内径は一次ボトルの下側領域の外径よりいくらか小さい（例えば、一次ボトルの下側領域の外径より０．５％乃至１０％小さい内径を有する）。底部ケーシングを一次ボトルに取り付けるために、底部ケーシングは一次ボトルの下側部分の周囲に押し嵌められる。弾性材料は伸張して底部ケーシングと一次ボトルとの間に摩擦による連結をもたらす。
【００３５】
一次ボトルの内部形状は、選択可能な一実施形態において、一次ボトルの外部形状と、特に下側領域において、異なってもよい。特に、一次ボトルは、容器からの少量の液体の取り出しを（例えば流体の抜き取りの最後において）助けるために内側を先細にしうる。これは、ほぼ円筒体の外部形状を下側領域に維持しながら内側が先細になるように、各側面および底部（例えばそれぞれ図１の３および２）の壁の厚さを変化させることによって実現可能である。
【００３６】
同様に、上部ケーシングと閉鎖体との間にも好適な連結がなされる。すなわち、閉鎖体は円筒状の構成であり、上部ケーシングは弾性材料で構成され、閉鎖体の形状に合わせられる。好適な一実施形態において、上部ケーシングの内径は閉鎖体の外径よりいくらか小さい（例えば、閉鎖体の外径より０．５％乃至１０％小さい内径を有する）。上部ケーシングを閉鎖体に固定するために、上部ケーシングは閉鎖体に押し被せられる。これにより、弾性材料は伸長し、上部ケーシングと閉鎖体との間に摩擦による連結をもたらす。材料および接続技術の当業者にとっては、底部ケーシングと、上部ケーシングと、一次ボトルと、閉鎖体とがどのように構成されれば、底部および上部ケーシングが外れないように、一次ボトルが底部ケーシング内に押し込まれ、上部ケーシングが閉鎖体に押し被されるかは明らかである。
【００３７】
一次ボトルおよび閉鎖体への底部および上部ケーシングの連結は、特に堅固にする必要はない。これら構成要素はフィルムによっても固定されるからである（下記参照）。この連結は、底部および上部ケーシングの外れを防止するに十分なだけ強固であればよい。重要なのは、これら構成要素同士の接合が容易に行えることである。充填工程は、原則として自動化可能であるべきである。高速かつ摩擦のない操作のためには、一次ボトルが底部ケーシングに容易に嵌入し、かつ上部ケーシングが閉鎖体の周りに容易に嵌まることが重要である。
【００３８】
底部ケーシングと上部ケーシングとは、フィルムによる連結のための領域も提供する。
【００３９】
好適な一実施形態において、上部ケーシングは鏡筒式円筒体の形態であり、上側の先細部分と下側の拡径部分とを有する。この種の上部ケーシングが例として図５に示されている。先細部分は、閉鎖体の周りに嵌まり、摩擦による連結をもたらす。拡径部分は一次ボトルの首部と肩部とを取り囲み、一次ボトルの円筒状胴部領域に面一に接触する。この好適な実施形態は、フィルムまたは箔の取り付けに極めて適した瓶を作製する。
【００４０】
本発明による容器のフィルムは、底部ケーシングと上部ケーシングとの間に延在してこれらケーシング同士を接合する。このフィルムは、底部または上部ケーシングによって未だ取り囲まれていない一次ボトルの領域を取り囲む（ただし、一般には、閉鎖体の穿刺領域に位置合わせされる上部ケーシングの開口部を覆わない）。底部ケーシング、上部ケーシング、および一次ボトルへのフィルムの連結は、接着剤の層によって行われることが好ましい。ただし、底部ケーシング、上部ケーシング、および一次ボトルにフィルムを熱収縮させて取り付けることも可能である。フィルムは、一次ボトルと、閉鎖体と、底部ケーシングと、上部ケーシングとから成る組立体に機械的安定性をもたらす。フィルムは、一次ボトルへの充填中に一次ボトルの外壁に付着した如何なる汚染も安全に包囲する。底部ケーシングと、上部ケーシングと、フィルムとから成る組立体は、一次ボトルの第２の皮膜を構成し、これにより、一方では一次ボトルとその中身とを外部の影響から保護し、さらには一次ボトルが破損して液体が一次ボトルから漏出するおそれがある場合でも環境の保護をもたらす。これは、如何なる表面汚染も包囲することに加え、表面汚染によって引き起こされる危険をも減らす。したがって、フィルムは、一次ボトルと同様に、当該液体に冒されない材料から成ることが好ましい。好適な材料の例として、ポリオレフィン類（例えば、ポリエチレン、ポリプロピレン）またはポリエステル類などのポリマー類がある。複合材料も可能である。
【００４１】
１つの実施形態において、フィルムは、一次ボトル（好ましくはさらに上部および底部ケーシング）の外周全体に巻き付くために十分なサイズを有する。したがって、フィルムがフィルム自体に重なる重なり部分が存在するように、フィルムは一次ボトルの外周より長いサイズにしてもよい。この実施形態において、フィルムはフィルム自体に少なくとも部分的に、例えば接着剤によって、固定されうる。一次ボトルの外周のサイズを少なくとも有するフィルムを設けることによって、一次ボトルの外側壁が完全に包封されうるので、如何なる表面汚染も完全に包封されうる。重なり部分がある場合は、重なり部分を一次ボトルの外周の、例えば、１％乃至５０％にしうる。
【００４２】
好適な一実施形態において、本発明による容器は、密封フィルムをさらに有する。これは、上部ケーシングの開口部を穿刺領域の上方で密封する。密封フィルムは、接着によって上部ケーシングに接合されることが好ましい。密封フィルムは、穿刺領域へのアクセスをもたらすために、完全に、または少なくとも部分的に、除去可能であるように設計されうる。あるいは、密封フィルムはカニューレによって穿刺されてもよい。
【００４３】
本発明による容器は、さまざまな液体の貯蔵および輸送に適する。本発明による容器は、人々または環境にとって危険な液体に用いられることが好ましい。
【００４４】
本発明は、放射性物質、特に放射線治療および／または診断剤、最も好ましくはアルファ粒子を放出する物質、の貯蔵用のための本発明による容器の使用にさらに関する。本発明による容器は、人間または動物の治療用の、または人間または動物の診断用の、１回分用量を保持することが好ましい。
【００４５】
本発明の容器（および他のすべての態様）は、アルファ線放出放射性核種を含有する液体用に特に適している。この理由は、このようなアルファ線放出放射性核種は危険および／または有毒であり、厳重な管理下に置かれるが、本願明細書で言及されている上部および底部ケーシングおよびフィルムの形成に適したプラスチック類などの材料はアルファ線を容易に阻止するからである。したがって、如何なる表面汚染も本願明細書に記載の各方法によって包封することによって、アルファ線放出放射性核種の危険が効果的に回避または制限される。
【００４６】
本発明による容器に関する上記の好適な各実施形態は、本発明による使用にも同様に適用される。
【００４７】
この新規容器の使用前、先ず液体が一次ボトルに充填される。充填前に一次ボトルを滅菌することも可能である。医学および滅菌分野の当業者は、複数の適した方法を熟知されているであろう。ここでは、所謂オートクレーブ処理を例として挙げる。充填は対応する分注ロボットを用いて自動的に実施されることが好ましく、充填後、一次ボトルは、好ましくは同じく自動的に、穿刺可能な閉鎖体で流体密に密封される。
【００４８】
密封工程後、例えばオートクレーブ処理によって、滅菌を実施することも可能である。
【００４９】
一次ボトルの充填または密封中に、または滅菌が行われる場合はこの滅菌工程中に、一次ボトルの外壁が汚染されることも考えられる。例えば、充填中に液体の滴が一次ボトルの開口部の縁部に付着し、この微量の液体が密封中に一次ボトル内に密封されずに一次ボトルと閉鎖体との間に残る可能性がある。この場合、このような微量の液体が環境に侵入する危険がある。特に放射性物質（アルファ線放出放射性核種など）の場合、環境汚染の防止が絶対に不可欠である。
【００５０】
したがって、充填および密封後、場合によっては滅菌後、本発明による容器は覆われる。すなわち、一次ボトルに底部ケーシングが設けられ、閉鎖体に上部ケーシングが設けられ、一次ボトルの残りの部分にフィルムが設けられる。フィルムは上部ケーシングの一部と底部ケーシングの一部とによっても覆われる。密封フィルムを穿刺領域に被せることも任意である。
【００５１】
本発明は、本容器に液体を充填する方法をさらに含む。本発明による方法は、
一次ボトルに液体（例えば、放射性核種などの有毒および／または危険な物質を少なくとも１種含有する液体）を充填するステップと、
充填後の前記一次ボトルを閉鎖するステップと、
前記一次ボトルの基部に底部ケーシングを設けるステップと、
閉鎖体に上部ケーシングを設けるステップと、
前記底部ケーシングまたは前記上部ケーシングによって未だ包囲されていない前記一次ボトルの部分をフィルムで覆うステップであって、前記フィルムは前記底部ケーシングから前記上部ケーシングまで延在して前記上部ケーシングおよび前記下部ケーシングを互いに接合する（ただし、上部ケーシングの開口部は未包封にしておいてもよく、または別の密封フィルムによって包封されてもよい）ステップと、
を少なくとも含む。
【００５２】
本発明による容器に関する上記の好適な各実施形態は、本発明による方法にも同様に適用される。
【００５３】
本発明による方法の好適な一実施形態において、接着剤層を一方の面に有するフィルムは、このフィルムを一次ボトルに取り付けるために、一次ボトルに巻き付けられる。この工程は自動化されることが好ましい。このフィルムは透明な、またはほぼ透明な、フィルムであることが好ましい。これにより、容器の中身の可視性が維持される。
【００５４】
別の一実施形態において、本発明は、少なくとも１種類の放射性同位体を収容している一次ボトルの表面汚染から発する放射線による危険を減らすための方法を提供する。本方法は、
充填後の一次ボトルを閉鎖するステップと、
前記一次ボトルの立ち上がり部に底部ケーシングを設けるステップと、
閉鎖体に上部ケーシングを設けるステップと、
前記底部ケーシングまたは前記上部ケーシングによって未だ取り囲まれていない前記一次ボトルの部分をフィルムで覆うステップであって、このフィルムは前記底部ケーシングから前記上部ケーシングまで延在して前記上部ケーシングおよび前記底部ケーシングを互いに連結する、ステップと、
を含む。
【００５５】
前記危険として、放射性核種、特にアルファ放射性核種、に伴うあらゆる危険、例えば、取り扱い上の危険、汚染の危険、および／または環境上の危険など、がありうる。本願明細書に記載の全ての実施形態および定義は、本発明のこの態様に、文脈が許せば、特に本願明細書において好適と記載されている態様に適用される。
【００５６】
本発明は、別の態様において、上部ケーシング、底部ケーシング、および底部ケーシングから上部ケーシングまで延在して少なくとも１種類の放射性同位体を収容した充填後の一次ボトルの表面汚染から発する放射線による危険を減らすためのフィルムの使用を提供する。
【００５７】
このような危険として、放射性核種、特にアルファ放射性核種、に伴うあらゆる危険、例えば、取り扱い上の危険、汚染の危険、および／または環境上の危険などがある。本願明細書に記載の全ての実施形態および定義は、本発明のこの態様に、コンテキストが許せば、特に本願明細書において好適と記載されている態様に適用される。
【００５８】
次に、本発明をさらに説明するために、好適な一実施例をより詳細に説明する。ただし、本発明はこの実施例に限定されるものではない。
［実施例］
以下の構成要素から容器を作製した。
【００５９】
一次ボトル：欧州薬局方に準拠して製造された透明ガラス製の１０ｍｌ試料容器（例えばバイアル）または透明ガラス製の１０ｍｌ注射薬アンプル、ガラスタイプＩ（ＩＳＯ７１９またはＩＳＯ７２０）。
【００６０】
閉鎖体：ゴム製ストッパを有するフランジ付きアルミニウムキャップ。
【００６１】
上部キャップ：射出成形されたポリプロピレン製部品（ボレアレス社（「Ｂｏｒｅａｌｉｓ  ＡＧ）製のＢｏｒｍｅｄ（商標）ＨＦ８４０ＭＯ）。
【００６２】
底部キャップ：射出成形されたポリプロピレン製部品（ボレアレス社製のＢｏｒｍｅｄ（商標）ＨＦ８４０ＭＯ）。
【００６３】
フィルム：透明ポリオレフィンフィルムとアクリル接着剤とから成る糊付き複合材料であるストラルフォルス・ラベル材料（（Ｓｔｒａｌｆｏｒｓ  Ｌａｂｅｌ  Ｍａｔｅｒｉａｌ）ＬＲ２２４０（ストラルフォルス社（Ｓｔｒａｌｆｏｒｓ  ＡＧ））。
【００６４】
図１乃至図５は、作製された容器とその構成要素とを示す。
【００６５】
図１は、一次ボトルの好適な一実施例を断面図で示す。下壁２と複数の側壁３とが空洞４を包囲する。この空洞には液体を開口部５から充填可能である。一次ボトルの下側領域と胴部領域とは、中空円筒体の形状である。この中空円筒体は上方に先細になって肩部６と首部７とが形成される。開口部５の周囲は、閉鎖体を取り付け可能なフランジ８である。
【００６６】
図２は、本発明による容器を斜視図で示す。この図面は、開口部を有する上部ケーシング１０を示している。開口部の下に、閉鎖体の穿刺領域４５が見える。底部ケーシング２０および上部ケーシングと底部ケーシングとの間に延在するフィルム３０も見える。
【００６７】
図３は、本発明による容器を側面図で示す。この図面は、上部ケーシング１０と、底部ケーシング２０と、上部および底部ケーシングを互いに接着によって連結するフィルム３０とを示している。
【００６８】
図４は、本発明による容器を側断面図で示す。一次ボトル１は、隔壁４３とフランジ付きアルミニウムキャップ４０とによって閉鎖される。上部ケーシング１０が閉鎖体に被せられ、フランジ付きアルミニウムキャップに摩擦によって連結される。上部ケーシングは下方に拡径する。上部ケーシングは一次ボトルの外壁に面一に接触する。底部ケーシング２０は、一次ボトル１の基部に摩擦によって連結される。一次ボトルには、上部および底部ケーシング間に延在するフィルム３０が巻き付けられる。
【００６９】
図５は、図２乃至図４に示されている新規容器の上部ケーシングを（ａ）側面図、（ｂ）側断面図、（ｃ）上面図、および（ｄ）斜視図で示す。上部ケーシングは拡径領域１２と縮径領域１４とを有し、肩部１３がこれらの領域同士を接合している。
【００７０】
図６は、図２乃至図４に示されている新規容器の底部ケーシングを（ａ）側面図、（ｂ）側断面図、（ｃ）上面図、および（ｄ）斜視図で示す。
【図１】
2014527423.tif 000003
【図２】
2014527423.tif 000004
【図３】
2014527423.tif 000005
【図４】
2014527423.tif 000006
【図５】
2014527423.tif 000007
【図６】
2014527423.tif 000008
【国際調査報告】
2014527423.tif 000009
2014527423.tif 000010
2014527423.tif 000011